(57)【要約】      （修正有）【課題】掲示用印刷物をガラス窓等の低い位置に設置するときに、身を屈めて作業する必要がなく、掲示用印刷物の表示面を店外から見えるようにしてガラス窓の内面側に設置する場合に、掲示用印刷物の位置を店内側から目視で確認できる印刷物掲示用パネルを提供する。【解決手段】印刷物９を間に挟んでガラス窓に掲示する印刷物掲示用パネルであって、透明な樹脂で製作され、方形をなし、前面上辺に磁性体３を取着し、背面上辺を透明材からなる窓部の内側面への貼着部とする支持パネル２と、柔軟性を有する透明な樹脂で製作され、支持パネルと略同大の方形をなし、背面上辺に支持パネルの磁性体に吸着する磁石６を取着したカバーパネル５とからなる。支持パネルとカバーパネルとは下辺部で接合されている。【選択図】図１
0003226568.tif 000002
【実用新案登録請求の範囲】
【請求項１】
透明な樹脂をもって製作した、方形をなし、前面における上辺に磁石又は磁性体を取着すると共に、背面における上辺を透明材からなる窓部の内側面への貼着部とする支持パネルと、柔軟性を有する透明な樹脂をもって製作した、前記支持パネルと略同大の方形をなし、背面における上辺に前記支持パネルの磁石又は磁性体に吸着する磁性体又は磁石を取着したカバーパネルとからなり、前記支持パネルとカバーパネルとをその下辺部において接合せしめてなる印刷物掲示用パネル。
【請求項２】
支持パネルとカバーパネルの夫々における上下の辺部に内部不透視用の着色を施してなる請求項１記載の印刷物掲示用パネル。
【考案の詳細な説明】
【技術分野】
【０００１】
本考案は印刷物掲示用パネルに関するものである。
【背景技術】
【０００２】
ポスター等の印刷物の掲示用パネルは、従来種々のものが案出されており、そして、特にそれらの中において前面側において簡単に掲示用印刷物の交換ができ、而も廉価にて製作できるものとして、一端部を接合した二枚のパネル間に掲示用印刷物を挟み込むタイプのものがある。
【０００３】
ところで、コンビニエンスストア等の店舗においては、ポスター等の掲示用印刷物を店舗の前面のガラス窓に設置することも多い。そして、その設置位置は、入店する顧客の視界の妨げにならないようにするため等の理由で、ガラス窓の高さ方向の中段よりも低い位置とすることも多い。そしてまた、そのような印刷物は、汚れ等を考慮して印刷面が外面となるようにして、即ち、表示面が店外から見えるようにしてガラス窓の内側面に設置されることが多い。また、時には二枚の印刷物を背中合わせにして設置することもある。
【０００４】
このような場合において、従来の印刷物掲示用パネルは、その殆どにおいて二枚のパネルが上辺側において接合されており、したがって、掲示用印刷物を交換するときには、前面側のパネルの下辺部を摘んで開閉しなければならなかった。
【０００５】
このため、掲示用印刷物をガラス窓等の低い位置に設置しようとする場合には、担当者は一々身を屈めて作業しなければならず、またパネル間に挟んだ掲示用印刷物の位置ずれ等の修正にも身を屈めて作業しなければならず、きわめて煩わしかった。
【０００６】
また、掲示用印刷物の印刷面が外面になるようにして、即ち、表示面が店外から見えるようにしてガラス窓の内面側に設置しようとする場合、従来の印刷物掲示用パネルは、背面側、即ち、壁面側に位置するパネルが不透明であるから、仮にガラス窓の内面側に設置したとして、パネル間に挟んだ掲示用印刷物の位置を目視で確認することができない。このため位置ずれを修正するために一々店外に出て確認しなければならなかった。
【０００７】
また、店外と店内のいずれの顧客にも見えるように二枚の印刷物を背中合わせにして設置しようとする場合においても、上記の如く従来の印刷物掲示用パネルは背面側に位置するパネルが不透明であることから、これに対応することができなかった。
【考案の概要】
【考案が解決しようとする課題】
【０００８】
本考案は上記の点に鑑みなされたものであって、掲示用印刷物をガラス窓等の低い位置に設置するときにおいて、印刷物の交換の都度担当者が一々身を屈めて作業する必要がないと共に、パネル間に挟んだ印刷物の位置ずれ等の修正も身を屈めて行う必要がなく、また、掲示用印刷物の印刷面が外面になるようにして、即ち、表示面が店外から見えるようにしてガラス窓の内面側に設置する場合において、パネル間に挟んだ掲示用印刷物の位置を店内側から目視で確認することができ、もって位置ずれを修正するために一々店外に出て確認する必要がなく、更に店外と店内のいずれの顧客にも見えるように二枚の印刷物を背中合わせにして設置する場合にも、これに対応することができるようになした印刷物掲示用パネルを提供しようとするものである。
【課題を解決するための手段】
【０００９】
而して、本考案の要旨とするところは、透明な樹脂をもって製作した、方形をなし、前面における上辺に磁石又は磁性体を取着すると共に、背面における上辺を透明材からなる窓部の内側面への貼着部とする支持パネルと、柔軟性を有する透明な樹脂をもって製作した、前記支持パネルと略同大の方形をなし、背面における上辺に前記支持パネルの磁石又は磁性体に吸着する磁性体又は磁石を取着したカバーパネルとからなり、前記支持パネルとカバーパネルとをその下辺部において接合せしめてなる印刷物掲示用パネルにある。
【００１０】
また、上記構成において、支持パネルとカバーパネルの夫々における上下の辺部に内部不透視用の着色を施すようになしてもよい。
【考案の効果】
【００１１】
本考案は上記の如き構成であり、支持パネルとカバーパネルとをその下辺部において接合せしめたものであるから、これら支持パネルとカバーパネルとの間に挟み込んだ掲示用印刷物を交換するときには、前面側のカバーパネルの上辺部を摘んで開閉することができるものである。したがって、掲示用印刷物をガラス窓等の低い位置に設置するときにおいて、印刷物の交換の都度担当者が一々身を屈めて作業する必要がなく、立ったままの姿勢で行うことができると共に、パネル間に挟んだ印刷物の位置ずれ等の修正も身を屈めて行うことなく、立ったまま行うことができるものである。
【００１２】
また、背面側の支持パネルも透明であるから、掲示用印刷物の印刷面が外面になるようにして、即ち、表示面が店外から見えるようにしてガラス窓の内面側に設置する場合において、支持パネルとカバーパネル間に挟んだ掲示用印刷物の位置を店内側から目視で確認することができ、もって位置ずれを修正するために一々店外に出て確認する必要がなく、更に店外と店内のいずれの顧客にも見えるように二枚の印刷物を背中合わせにして設置する場合にも、これに対応することができるものである。
【００１３】
加えて、支持パネルとカバーパネルとは、それらが合わさった状態を上辺部と下辺部においてのみで保持する構造であり、側辺部分はフリーな状態であるから、横方向において大きなサイズの掲示用印刷物の場合には、所要の個数を横に並べて設置することにより、これに対応することができるものである。
【図面の簡単な説明】
【００１４】
【図１】本考案の実施形態に係る印刷物掲示用パネルの使用状態の斜視図である。
【図２】同支持パネルの正面図である。
【図３】同支持パネルの背面図である。
【図４】同カバーパネルの正面図である。
【図５】同カバーパネルの背面図である。
【図６】同使用方法の説明図である。
【図７】同複数個を横に並べて設置する場合の使用方法の説明図である。
【考案を実施するための形態】
【００１５】
以下、本考案を実施するための形態について、図面を参照して説明する。
【００１６】
図中、１は印刷物掲示用パネルである。また、該印刷物掲示用パネル１は、後記支持パネルとカバーパネルとをその下辺部において接合せしめてなるものである。
【００１７】
２は透明な樹脂をもって製作した支持パネルである。また、該支持パネル２は、方形をなし、前面における上辺に磁性体３、３を取着すると共に、背面における上辺を透明材からなる窓部の内側面への貼着部４としている。尚、前記磁性体３、３は、後記磁石に吸着するものであるから、これらを逆に取着するようにしてもよい。また、前記貼着部４には両面粘着テープを貼着している。
【００１８】
５は柔軟性を有する透明な樹脂によって製作したカバーパネルである。また、該カバーパネル５は、前記支持パネル２と略同大の方形をなし、背面における上辺に前記支持パネル２の磁性体３、３に吸着する磁石６、６を取着している。そしてまた、該カバーパネル５の下辺には、前記支持パネル２と接合するための両面粘着テープ７を貼着している。
【００１９】
また、前記支持パネル２とカバーパネル５の夫々における上下の辺部には、内部不透視用の着色８を施している。
【００２０】
また、その他、図中、９はポスター等の掲示用印刷物、１０は店舗のガラス窓である。
【００２１】
次に、上記実施形態の使用方法について説明する。
【００２２】
図６に示す如く、支持パネル２の上辺を貼着部４をもって店舗のガラス窓１０の内面側（店舗内側）に貼着して設置するものである。また、設置する位置は、ガラス窓１０の高さ方向の中段よりも低い位置とするものである。
【００２３】
そして、掲示用印刷物９を交換するときには、図６に示す如く、カバーパネル５の上辺を摘んで開き、支持パネル２とカバーパネル５の上部側から掲示用印刷物９の出し入れを行うものである。したがって、掲示用印刷物９をガラス窓１０の低い位置に設置するときにおいて、印刷物の交換の都度担当者が一々身を屈めて作業する必要がなく、立ったままの姿勢で行うことができると共に、支持パネル２とカバーパネル５間に挟んだ印刷物９の位置ずれ等の修正も身を屈めて行うことなく、立ったまま行うことができるものである。
【００２４】
また、背面側の支持パネル２も透明であるから、掲示用印刷物９の印刷面が外面になるようにして、即ち、表示面が店外から見えるようにしてガラス窓１０の内面側に設置する場合において、支持パネル２とカバーパネル５間に挟んだ掲示用印刷物９の位置を店内側から目視で確認することができ、もって位置ずれを修正するために一々店外に出て確認する必要がなく、更に店外と店内のいずれの顧客にも見えるように二枚の印刷物を背中合わせにして設置する場合にも、これに対応することができるものである。
【００２５】
加えて、支持パネル２とカバーパネル５とは、それらが合わさった状態を上辺部と下辺部においてのみで保持する構造であり、側辺部分はフリーな状態であるから、図７に示す如く、横方向において大きなサイズの掲示用印刷物９の場合には、所要の個数を横に並べて設置することにより、これに対応することができるものである。
【符号の説明】
【００２６】
１  印刷物掲示用パネル
２  支持パネル
３、３  磁性体
４  貼着部
５  カバーパネル
６、６  磁石
７  両面粘着テープ
８  内部不透視の着色
【図１】
0003226568.tif 000003
【図２】
0003226568.tif 000004
【図３】
0003226568.tif 000005
【図４】
0003226568.tif 000006
【図５】
0003226568.tif 000007
【図６】
0003226568.tif 000008
【図７】
0003226568.tif 000009